(57)【特許請求の範囲】
【請求項１】
沈砂池の池底に沿って後流側から流入側に向けて移動するよう張架した沈砂掻揚用のバケットコンベアにおいて、沈砂池の流入側に形成される砂だまりの近傍位置に配設される、バケットコンベアと噛合するスプロケットホイールの軸受位置を、堆積にて形成される砂だまりの高さより上方位置に固定して設け、砂だまり位置におけるガイドレール端を昇り勾配に形成するとともに、前記スプロケットホイールの後流側のバケットコンベアのエンドレスチェンがガイドレールに沿うようにエンドレスチェンを弛ませて張架したことを特徴とする揚砂機におけるスプロケットホイール埋没防止装置。
【請求項２】
流入側流路の緩速域を沈砂池の流入側に形成される砂だまりの近傍位置に配設されるスプロケットホイールの後流側に設けたことを特徴とする請求項１記載の揚砂機におけるスプロケットホイール埋没防止装置。
【発明の詳細な説明】
【０００１】
【発明の属する技術分野】
本発明は、池底に沿って走行させるバケットをガイドするための前方スプロケットホイールが、堆積汚砂等にて埋没して軸受、スプロケットホイールの寿命を著しく阻害するのを防止し、かつホイール・チェンの噛み合い部に木片・缶等の異物の噛み込みを未然に防止するようにした揚砂機におけるスプロケットホイール埋没防止装置に関するものである。
【０００２】
【従来の技術】
従来、下水処理場・ポンプ場等において、沈砂池に流入する汚砂を池底に沈降堆積させ、この堆積汚砂を掻き揚げ排出するものとして揚砂機が汎用され、一般に定置式のバケットコンベアを用いている。このバケットコンベアは池底に対し平行に運行するようバケットコンベア池底部両端においてスプロケットホイールを配置している。
【０００３】
【発明が解決しようとする課題】
上記従来の揚砂機におけるスプロケットホイールは、池底のバケットを水平に引くようバケットレベルとホイールピッチサークルが同レベルとなっているので、大降雨時など一時に多量の土砂が流入すると、この流入土砂によりこのバケットコンベアやスプロケットホイールが埋没し、またスプロケットとバケットチェンとの噛み合いが土砂中で起こり、木片・缶などを噛み込み、運転不能になると共に、スプロケットホイール、チェンの摩耗が著しいという問題点があった。
このバケットコンベアの埋没を防止するために、池底に沿って配設する昇降フレームをバケットコンベアのチェン、その他のチェンにて昇降可能に吊垂支持し、多量土砂の流入時、この昇降フレーム毎上昇させている。しかしこの方法でも多量土砂の流入前に操作しなければ、昇降フレーム毎埋没し、また構成が複雑になるという問題点があった。
本発明は、上記従来の揚砂機におけるスプロケットホイール埋没防止装置の有する問題点を解決し、バケットコンベアを噛合する前方のスプロケットホイールを、堆積もしくは掻き寄せ、山となった土砂山より高い位置に支持するよう設置することにより、チェンとスプロケットホイールとの噛み合い及び軸支部分が土砂上方となり埋没防止を図り、かつ木片や缶などの噛み込みを未然に防止し、過負荷による運転停止を防止することができる揚砂機におけるスプロケットホイール埋没防止装置を提供することを目的とする。
【０００４】
【課題を解決するための手段】
上記目的を達成するため、本発明の揚砂機におけるスプロケットホイール埋没防止装置は、沈砂池の池底に沿って後流側から流入側に向けて移動するよう張架した沈砂掻揚用のバケットコンベアにおいて、沈砂池の流入側に形成される砂だまりの近傍位置に配設される、バケットコンベアと噛合するスプロケットホイールの軸受位置を、堆積にて形成される砂だまりの高さより上方位置に固定して設け、砂だまり位置におけるガイドレール端を昇り勾配に形成するとともに、前記スプロケットホイールの後流側のバケットコンベアのエンドレスチェンがガイドレールに沿うようにエンドレスチェンを弛ませて張架したことを特徴とする。
【０００５】
上記の構成からなる本発明の揚砂機におけるスプロケットホイール埋没防止装置は、池底に流入堆積または掻き寄せられた砂だまりによっても埋没したり、また木片・缶等の噛み込みが未然に防止でき、円滑な運行が行えるものとなる。
この場合、特に、砂だまり位置におけるガイドレール端を昇り勾配に形成するとともに、前記スプロケットホイールの後流側のバケットコンベアのエンドレスチェンがガイドレールに沿うようにエンドレスチェンを弛ませて張架することにより、バケットコンベアの導きが円滑に行えるものとなる。
【０００６】
また、本発明の揚砂機におけるスプロケットホイール埋没防止装置は、流入側流路の緩速域を沈砂池の流入側に形成される砂だまりの近傍位置に配設されるスプロケットホイールの後流側に設けたことを特徴とする。
【０００７】
上記の構成からなる本発明の揚砂機におけるスプロケットホイール埋没防止装置は、前方スプロケットホイールより後方に砂だまりが生じるので、このホイールの埋没が防止できる。
【０００８】
【発明の実施の形態】
以下、本発明の揚砂機におけるスプロケットホイール埋没防止装置の実施の形態を図面に基づいて説明する。
図において１は、所要の大きさ、形状を備えた沈砂池で、この沈砂池１の長手方向池底にガイドレール２を敷設し、沈砂池内に配設駆動する沈砂掻揚用のバケットコンベア３の池底部を上流端側が昇り勾配２１となった前記ガイドレール２に導かれて走行するようにする。
【０００９】
バケットコンベア３は、池底部分においては池底の長手方向両端部位置に配設した前方の（沈砂池の流入側に形成される砂だまりの近傍位置に配設される）スプロケットホイール３１と後方の水中スプロケットホイール３２間に掛け、この両ホイール３１，３２間でバケットコンベア３は、池底に配設したのガイドレール２に導かれて走行移動するようにすると共に、このバケットコンベアの池底部における移動上方位置に配置したスプロケットホイール３３，３４，３５にてエンドレス状に支持され、池上方の駆動スプロケットホイール３６、テークアップ用のガイドホイール３７に掛け、エンドレス状としてこれを駆動装置４にて池内にて循環駆動されるようにする。このバケットコンベア３は、従来揚砂機として採用されているもので、エンドレスチェン３９に所定間隔でＶバケット３８を多数設け、この各バケット３８で池底部に沈降した土砂（汚砂）を順次掻き寄せ、抄い取り排出するようにしている。
【００１０】
また、バケットコンベア３を噛合する前方のスプロケットホイール３１は、池底に堆積する土砂あるいはＶバケット３８にて掻き寄せられて山となる土砂山の高さよりも高い位置に設置し、これにより前記スプロケットホイールが土砂に埋没したり、またこの軸や軸受が土砂中に位置しないようにする。
【００１１】
図１の実施例では、前方スプロケットホイール３１は水中となっているが、これを図２に示すように水面より上方位置とすることも可能である。さらに前方スプロケットホイール３１はＶバケットによる掻き寄せにて、掻き寄せ終端位置で土砂山となる位置、即ちすなだまり開始端より上流側に配設することが望ましい。
【００１２】
この池底のガイドレールより土砂に埋没しない位置に設置される前方スプロケットホイール３１方向へ、バケットコンベアが円滑に導かれるように図示の如くガイドレール２の上流側端を上方に持ち上がるよう湾曲することもある。
【００１３】
さらに図４に示す実施例では、流入側流路の緩速域を前方スプロケットホイールの後流側に設けたもので、これにより図１，２に示す実施例と同様の作用効果を有するようにする。
【００１４】
従って上述の如く構成する揚砂機において、駆動装置４にてバケットコンベア３を駆動すると、エンドレス状のバケットコンベア３は、夫々スプロケットホイールに張架されたルートで循環移動し、水中のスプロケットホイール３２より前方のスプロケットホイール３１方向へ移動する際、池底のガイドレール２上を摺動し、これにより池底に沈降した土砂（汚砂）を掻き寄せつつ抄い取るようになる。そしてＶバケットに一杯になった後は、沈降土砂は掻寄前方向へ順次掻き寄せられ、ガイドレール端の砂だまり位置で山となる。
【００１５】
この時、多量の土砂が流入して、かつ砂だまり位置で山となっても、前方のスプロケットホイール３１はこの土砂山より上方位置に配置されているので、埋没することがない。また、前方のスプロケットホイールとバケットコンベアとの噛み合いが土砂山の上方位置であるので、この土砂山中に木片や缶・小石等が含まれていても、噛み込むことなく円滑な運行が行えるものとなる。
【００１６】
なお、後方のスプロケットホイール３２も前方のスプロケットホイールと同様その支持位置を堆積土砂より上方とすることも、また水面上方位置とすることも可能である。
【００１７】
【発明の効果】
本発明の揚砂機におけるスプロケットホイール埋没防止装置によれば、池底に流入堆積または掻き寄せられた砂だまりによっても埋没したり、また木片・缶等の噛み込みが未然に防止でき、円滑な運行が行える利点がある。
この場合、特に、砂だまり位置におけるガイドレール端を昇り勾配に形成するとともに、前記スプロケットホイールの後流側のバケットコンベアのエンドレスチェンがガイドレールに沿うようにエンドレスチェンを弛ませて張架することにより、バケットコンベアの導きが円滑に行えるものとなる。
【００１８】
また、本発明の揚砂機におけるスプロケットホイール埋没防止装置によれば、沈砂池の流入側に形成される砂だまりの近傍位置に配設されるスプロケットホイールより後方に砂だまりが生じるので、このホイールの埋没が防止できる利点がある。
【図面の簡単な説明】
【図１】  本発明の揚砂機におけるスプロケットホイール埋没防止装置の第１実施例を示す正面図である。
【図２】  本発明の揚砂機におけるスプロケットホイール埋没防止装置の異なる実施例を示す正面図である。
【図３】  バケットによる沈砂の掻寄状態の説明図である。
【図４】  本発明の他の実施例の説明図である。
【図５】  公知例の説明図である。
【符号の説明】
１    沈砂池
２    ガイドレール
２１  昇り勾配
３    バケットコンベア
３１  前方（沈砂池の流入側に形成される砂だまりの近傍位置に配設される）スプロケットホイール
３２  水中スプロケットホイール
３６  駆動スプロケットホイール
３８  Ｖバケット
４    駆動装置
【図１】
0003678474.tif 000002
【図２】
0003678474.tif 000003
【図３】
0003678474.tif 000004
【図４】
0003678474.tif 000005
【図５】
0003678474.tif 000006